(57)【要約】【課題】ユーザに違和感を与えずに指定領域を修飾する際に、メモリ容量を節約する。【解決手段】ＯＳＤプレーン回路１２４は、記憶部１１０に記憶されたＯＳＤプレーンイメージデータ１１４を１ピクセルずつ読み出して合成部１４０に出力する。背景選択部１２６は、背景選択用データ１１６を参照して、異なる色の背景データを出力する第１の背景データ出力部１３２と第２の背景データ出力部１３４のいずれかの出力を選択して合成部１４０に出力する。合成部１４０は、ＯＳＤプレーン回路１２４と背景選択部１２６からのデータをピクセル毎に合成して表示部１５０に出力する。背景選択用データ１１６は、ＯＳＤプレーンイメージデータ１１４の各ピクセルとそれぞれ対応するピクセルを有し、各ピクセルは、第１の背景データ出力部１３２と第２の背景データ出力部１３４のうちのいずれかを示すデータである。【選択図】図１
2008164882.tif 000002
【特許請求の範囲】
【請求項１】
前面画像データの各ピクセルのデータを背景データとそれぞれ合成して合成画像データを得る合成部と、
前記前面画像データの各ピクセルにそれぞれ対応するピクセルを有し、該ピクセルのデータが複数の背景データのいずれかを示すものである背景選択用データを記憶した記憶部と、
前記前面画像データの注目ピクセルのデータに対して、前記記憶部に記憶された背景選択用データの対応するピクセルのデータが示す背景データを選択して前記合成部に供する背景選択部とを備えることを特徴とする画像処理装置。
【請求項２】
前記合成部により得られた前記合成画像データが表す合成画像の背景を変更可能な制御部をさらに備え、
前記記憶部は、複数の背景選択用データを記憶しており、
前記背景選択部は、該複数の背景選択用データのうちの１つを用いて前記選択をし、
前記制御部は、前記背景選択部に供する背景選択用データを、前記背景選択部により使用中の背景選択用データから他の背景選択用データに切り換えることにより前記合成画像の背景を変更することを特徴とする請求項１に記載の画像処理装置。
【請求項３】
前記制御部は、前記合成画像の背景を変更する際に、前記他の背景選択用データを編集し、編集済の他の背景選択用データで前記切換をすることを特徴とする請求項２に記載の画像処理装置。
【請求項４】
前記複数の背景データをそれぞれ出力する複数の背景データ出力部をさらに備え、
前記背景選択部は、該複数の背景データ出力部のいずれかを選択することによって前記合成部に供する背景データの選択を行うことを特徴とする請求項２または３に記載の画像処理装置。
【請求項５】
前記前面画像データは、各ピクセルのデータに透過度情報が付属されており、
前記合成部は、前記前面画像データに対して、ピクセル毎にその透過度情報に応じた割合で該ピクセルのデータと背景データの合成を行うことを特徴とする請求項２から４のいずれか１項に記載の画像処理装置。
【請求項６】
前記前面画像データは、前記合成画像における１つ以上の修飾対象候補領域の修飾部位において背景画像データが表示されるように、前記修飾部位に対応する各ピクセルの透過度情報が設定されており、
前記制御部は、前記合成画像における前記修飾対象候補領域のうちのいずれかが修飾対象領域に決定されたとき、該修飾対象領域の修飾部位に対応する各ピクセルの背景データが他の修飾対象候補領域の修飾部位に対応するピクセルの背景データと異なるように前記切換または前記編集後の切換を行うことを特徴とする請求項５に記載の画像処理装置。
【請求項７】
前記修飾部位は、該修飾部位が対応する修飾対象候補領域の外枠部であることを特徴とする請求項６に記載の画像処理装置。
【請求項８】
前面画像データの各ピクセルのデータを背景データとそれぞれ合成して合成画像データを得る合成工程と、
前記前面画像データの各ピクセルにそれぞれ対応するピクセルを有し、該ピクセルのデータが複数の背景データのいずれかを示すものである背景選択用データを用いて、前記前面画像データの注目ピクセルのデータに対して、前記背景選択用データの対応するピクセルのデータが示す背景データを選択して前記合成工程に供する背景選択工程とを有することを特徴とする画像処理方法。
【請求項９】
前記合成画像データが表す合成画像の背景を変更する制御工程をさらに有し、
該制御工程は、前記背景選択工程に供する前記背景選択用データを複数の背景選択用データ間で切り換えることにより前記合成画像の背景を変更することを特徴とする請求項８に記載の画像処理方法。
【請求項１０】
前記制御工程は、前記合成画像の背景を変更する際に、前記複数の背景選択用データのうちの前記背景選択工程により使用中の背景選択用データの他の背景選択用データを編集し、編集済の他の背景選択用データで前記切換をすることを特徴とする請求項９に記載の画像処理方法。
【請求項１１】
前記背景選択工程は、前記複数の背景データをそれぞれ出力する複数の背景データ出力部のいずれかを選択することによって前記合成工程に供する背景データの選択を行うことを特徴とする請求項９または１０に記載の画像処理方法。
【請求項１２】
前記前面画像データは、各ピクセルのデータに透過度情報が付属されており、
前記合成工程は、前記前面画像データに対して、ピクセル毎にその透過度情報に応じた割合で該ピクセルのデータと背景データの合成を行うことを特徴とする請求項９から１１のいずれか１項に記載の画像処理方法。
【請求項１３】
前記前面画像データは、前記合成画像における１つ以上の修飾対象候補領域の修飾部位において背景画像データが表示されるように、前記修飾部位に対応する各ピクセルの透過度情報が設定されており、
前記制御工程は、前記合成画像における前記修飾対象候補領域のうちのいずれかが修飾対象領域に決定されたとき、該修飾対象領域の修飾部位に対応する各ピクセルの背景データが他の修飾対象候補領域の修飾部位に対応するピクセルの背景データと異なるように前記切換または前記編集後の切換を行うことを特徴とする請求項１２に記載の画像処理方法。
【請求項１４】
前記修飾部位は、該修飾部位が対応する修飾対象候補領域の外枠部であることを特徴とする請求項１３に記載の画像処理方法。
【発明の詳細な説明】
【技術分野】
【０００１】
本発明は、画像処理具体的には前面画像データと背景データを合成する技術に関する。
【背景技術】
【０００２】
テレビジョンのＯＳＤ（Ｏｎ  Ｓｃｒｅｅｎ  Ｄｉｓｐｌａｙ：オン・スクリーン・ディスプレイ）などに適用される画像表示装置では、表示された画像に対して、予め設定された複数の領域から、タッチペンやマウスなどの入力デバイスにより目的の領域を指定し、指定領域内において例えば画面をスクロールすることや、表示項目に対して設定することなどが行われる。この場合、いずれの領域が指定されたかが分かりやすいように、指定領域と他の領域（以下非指定領域という）が視覚的に区別されることが望まれる。
【０００３】
特許文献１には、カラーパレットという手法を用い、表示画像のデータのうち、指定領域または非指定領域の部分のカラットデータ（バイナリデータ）を反転させることにより、表示画面上の指定領域と非指定領域間の視覚的差異を図る技術が開示されている。
【０００４】
特許文献２には、前面画像データと背景画像データを合成して表示する際に、指定領域の背景色が非指定領域の背景色と異なるように、指定領域か非指定領域かに応じて背景色を制御することにより指定領域を修飾する技術が開示されている。この技術は、２色の背景色のうち、指定領域か非指定領域かに応じていずれか一方の背景色を選択的に用いることによって、指定領域と非指定領域の視覚的な差異を図る。
【０００５】
また、前面画像における指定領域の色を変更して指定領域と非指定領域の差異を図る手法も知られている。
【特許文献１】特開２００５−１４０８７１号公報
【特許文献２】特開２００２−６８２７号公報
【発明の開示】
【発明が解決しようとする課題】
【０００６】
ところで、特許文献２の手法では、背景色のデータがイメージデータではないので、選択した背景色のデータを出力する際に座標の計算が必要である。指定領域が矩形である場合には、この座標位置の算出が簡単にできるが、複雑な形の場合には、座標位置の算出も複雑になる。そのため、指定領域の形が矩形以外たとえば菱形や不規則な形の場合や、または指定領域全体の背景色を変えるのではなく一部のみ修飾を加える場合には、ハードウェアによる座標計算が難しい。一方、背景色のデータを出力する度にプロセッサにより座標計算をするのは、時間がかかり、実用には適用し難いという問題がある。
【０００７】
前面画像における指定領域の色を変更する手法において、前面画像データを直接編集して該当するピクセルの画素値を変えるのでは、編集の進行に伴って表示画面上において１ピクセルずつ色が変わるので、ユーザに違和感を与えてしまうという問題がある。
【０００８】
ユーザに違和感を与えない程度に指定領域の前面画像の色を変えるためには下記の手法が考えられる。指定領域に対して前面画像の色を変更する際に、メモリに記憶された前面画像データをコピーし、コピーした前面画像データを編集することによって、指定領域に対応する部分の前面画像のピクセルのデータを変更する。そして、編集済みの前面画像データと元の前面画像データとを切り換える。
【０００９】
しかし、この手法では、２つの前面画像データを記憶できる容量のメモリを必要とする。例えば、高精細度テレビジョン（Ｈｉｇｈ  Ｄｅｆｉｎｉｔｉｏｎ  Ｔｅｌｅｖｉｓｉｏｎ。以下ＨＤという）では１画面がおよそ２Ｍピクセルであるため、前面画像データがＲＧＢまたはＹＣｂＣｒの３チャネルで計２４ｂｐｐ（ｂｉｔ  ｐｅｒ  ｐｉｘｅｌ）のデータである場合には、２つの前面画像データを記憶するために４８Ｍビットのメモリ容量が必要である。
【００１０】
さらに、背景画像と前面画像を合成して表示する分野において、多彩な視覚効果を与える技術として、αブレンディングが知られている。この技術は、前面画像の各ピクセルのデータに、透過度を示すα値が付属されており、このα値に応じた割合で前面画像データと背景画像データがピクセル毎に合成される。例えば、α値が最大値である「完全透過」を示すときに、合成されたデータが背景画像のデータとなる一方、α値が最小値である「不透過」を示すときには、合成されたデータが前面画像のデータとなる。このような前面画像のデータが３２ｂｐｓになるため、２つの前面画像データを記憶するために６４Ｍビットのメモリ容量が必要となり、必要なメモリ容量がより大きくなる。
【課題を解決するための手段】
【００１１】
本発明の態様は、画像処理装置である。この画像処理装置は、合成部と、記憶部と、背景選択部を備える。合成部は、前面画像データの各ピクセルのデータを背景データとそれぞれ合成して合成画像データを得るものである。記憶部は、背景選択用データを記憶しており、この背景選択用データは、前面画像データの各ピクセルにそれぞれ対応するピクセルを有し、該ピクセルのデータが複数の背景データのいずれかを示すものである。背景選択部は、前面画像データの注目ピクセルのデータに対して、記憶部に記憶された背景選択用データの対応するピクセルのデータが示す背景データを選択して合成部に供する。
【００１２】
なお、上記態様を方法、システムまたはプログラムとして表現したものも、本発明の態様として有効である。
【発明の効果】
【００１３】
本発明の画像処理技術によれば、ユーザに違和感を与えずに指定領域を修飾することができるとともに、メモリ容量を節約できる。
【発明を実施するための最良の形態】
【００１４】
以下、図面を参照して本発明の実施の形態について説明する。
図１は、本発明の実施の形態にかかる再生装置１００を示す。この再生装置は、例えばＨＤ方式の映像再生装置であり、記憶部１１０と、画像処理回路１２０、表示部１５０と、制御部１６０を有する。
【００１５】
記憶部１１０は、例えばＲＡＭ（Ｒａｎｄｏｍ  Ａｃｃｅｓｓ  Ｍｅｍｏｒｙ）であり、ビデオプレーンイメージデータ１１２と、ＯＳＤプレーンイメージデータ１１４と、背景選択用データ１１６ａと背景選択用データ１１６ｂが記憶されている。これらのデータは、ＨＤ方式に従い１画面につきそれぞれ１９２０×１０８０ピクセル（約２Ｍピクセル）を有する。
【００１６】
画像処理回路１２０は、ビデオプレーン回路１２２と、ＯＳＤプレーン回路１２４と、背景選択部１２６と、第１の背景データ出力部１３２と、第２の背景データ出力部１３４と、合成部１４０を有する。
【００１７】
ビデオプレーン回路１２２は、記憶部１１０に記憶されたビデオプレーンイメージデータ１１２を１ピクセルずつ読み出して合成部１４０に出力する。ＯＳＤプレーン回路１２４は、記憶部１１０に記憶されたＯＳＤプレーンイメージデータ１１４を１ピクセルずつ読み出して合成部１４０に出力する。第１の背景データ出力部１３２と第２の背景データ出力部１３４は、互いに色が異なる１ピクセルの背景データを出力するものであり、背景選択部１２６は、第１の背景データ出力部１３２と第２の背景データ出力部１３４のいずれかを選択して、選択した背景データ出力部から出力された背景データを合成部１４０に供する。
【００１８】
合成部１４０は、ビデオプレーン回路１２２と、ＯＳＤプレーン回路１２４と、背景選択部１２６からそれぞれ供される３つのピクセルデータを１つのピクセルデータに合成して表示部１５０に出力する。なお、合成部１４０は、ＯＳＤプレーンのデータが最も前面に、背景データが最も後になるように合成を行う。
【００１９】
合成部１４０は、このようにして得られたデータ（以下合成データという）を図２の矢印が示す走査順に左端から右端に、そして次の行の左端から右端に１ピクセルずつ出力する。左上端から右下端までの各ピクセルの合成データは、表示部１５０の表示画面において１画面分のテレビ画像として表示される。
【００２０】
表示部１５０は、合成部１４０から出力されてきた合成データを表示する。なお、再生装置１００は、図示しない入力デバイス例えばリモート・コントローラが設けられており、それを用いて、再生に関する様々な設定操作ができる。
【００２１】
制御部１６０はたとえばＣＰＵ（Ｃｅｎｔｒａｌ  Ｐｒｏｃｅｓｓｉｎｇ  Ｕｎｉｔ）であり、記憶部１１０、画像処理回路１２０、表示部１５０の制御を行う。具体的には、記憶部１１０に記憶されたデータの編集や、背景選択用データ１１６ａと背景選択用データ１１６ｂのいずれを背景選択部１２６に供する制御や、図示しない入力デバイスを介してユーザの指示を受け付けて対応する処理を画像処理回路１２０の当該機能ブロックに行わせるなどの処理をする。
【００２２】
ビデオプレーンイメージデータ１１２は、動画像の１画面ずつのイメージデータである。
【００２３】
ＯＳＤプレーンイメージデータ１１４も、イメージデータであり、ビデオプレーンイメージデータ１１２の各ピクセルにそれぞれ対応するピクセルのデータを有する。ＯＳＤプレーンイメージデータ１１４は、具体的には、動画像の上に表示される字幕や、再生に関する設定を行うためのメニューに関する内容のデータである。
【００２４】
背景選択用データ１１６ａは、ビデオプレーンイメージデータ１１２またはＯＳＤプレーンイメージデータ１１４の各ピクセルにそれぞれ対応するピクセルを有し、これらのピクセルのデータは、第１の背景データ出力部１３２と第２の背景データ出力部１３４のうちのいずれかを示すデータである。本実施の形態において、背景データ出力部が２つであるため、背景選択用データ１１６は１ｂｐｐのデータであり、各ピクセルでは、例えば「０」により第１の背景データ出力部１３２を示し、「１」により第２の背景データ出力部１３４を示す。
【００２５】
背景選択用データ１１６ｂは、初期状態において背景選択用データ１１６ａと同じものである。
【００２６】
背景選択部１２６は、第１の背景データ出力部１３２と第２の背景データ出力部１３４のいずれかの出力を選択して合成部１４０に供するものであり、その選択は、背景選択用データ１１６ａと背景選択用データ１１６のいずれか一方に基づいて行われる。なお、２つの背景選択用データのうちのいずれを背景選択用１２６に供するかは制御部１６０により制御される。
【００２７】
背景選択部１２６は、使用中の背景選択用データにおける該当ピクセルのデータが「０」と「１」のいずれであるかに応じて第１の背景データ出力部１３２と第２の背景データ出力部１３４の選択をする。
【００２８】
次に再生装置１００を詳細に説明する。なお、本発明の主旨が分かりやすいように、通常再生時における再生装置１００の動作の説明を省略し、再生に関する設定を行うとき例えば１本の映画のタイトル選択の際の再生装置１００の動作を説明する。この際、ＯＳＤプレーンのデータと背景データが表示される。なお、ビデオプレーンのデータを表示するか否かについては、設計者に委ねる事項であり、本実施の形態では、ＯＳＤプレーンのデータと背景データのみを表示する。
【００２９】
図３は、タイトルの選択に用いられるＯＳＤプレーンデータが表す画像（以下単にＯＳＤプレーンという）のイメージを示す。図示のように、ＯＳＤプレーンは、タイトル１、タイトル２などの複数のタイトルをそれぞれ示す領域１、領域２などの領域が含まれる。これらの領域は、図示しない入力デバイスにより指定されたときに修飾が加えられる修飾候補領域であり、以下タイトル領域という。各領域は、菱形であり、それぞれ外枠が設けられている。これらの外枠は、当該タイトル領域に対して修飾を加える際に背景色が変更される修飾部位である。
【００３０】
本実施の形態では、αブレンディング技術を用いて前面画像データであるＯＳＤプレーンのデータと背景データの合成を行い、ＯＳＤプレーンイメージデータ１１４の各ピクセルには透過度を示すα値が付属されている。ここでは、ＯＳＤプレーンイメージデータ１１４において、各タイトル領域のピクセルに対して、外枠の部分のピクセルのα値が「完全透過」に設定されており、他の部位のピクセルのα値が「不透過」に設定されている。
【００３１】
すなわち、図３に示すＯＳＤプレーンの全てのピクセルに対して、背景選択部１２６は、１つ例えば第１の背景データ出力部１３２の出力を選択するようにすれば、表示部１５０には図４に示す画像が表示される。なお、第１の背景データ出力部１３２は、所定の色例えば青を示す画素値を出力するものであり、図中枠部分の陰影は、第１の背景データ出力部１３２により出力された画素値が示す色を意味する。
【００３２】
前述したように、背景選択部１２６は、供される背景選択用データに基づいて第１の背景データ出力部１３２と第２の背景データ出力部１３４のいずれかを選択するものである。図４に示す画像を表示させるには、各ピクセルが第１の背景データ出力部１３２を示す「０」である背景選択用データを用いればよい。本実施の形態では初期状態において、背景選択用データ１１６ａと背景選択用データ１１６ｂのいずれも、それに含まれる各ピクセルが「０」であり、また、初期状態において制御部１６０は、背景選択部１２６が背景選択用データ１１６ａを参照するように制御する。
【００３３】
図４に示す画像が表示された状態において、再生装置１００の図示しない入力デバイスによりいずれかのタイトル領域たとえば領域１が指定されたとき、制御部１６０は、指定された領域１に対する修飾を行うために背景選択用データ１１６ｂを編集する。この編集は、背景選択用データ１１６ｂに対してなされるため、背景選択部１２６により使用中の背景選択用データ１１６ａが変わらないので、表示部１５０に表示された画面では図４に示すままである。
【００３４】
初期状態において背景選択用データ１１６ｂは、背景選択用データ１１６ａと同じであり、ここでは各ピクセルが「０」である。制御部１６０は、このような背景選択用データ１１６ｂに対して、指定領域ここでは領域１の外枠部分に対応するピクセルのデータを、第１の背景データ出力部１３２を示す「０」から第２の背景データ出力部１３４を示す「１」に変更する。図５は、編集済の背景選択用データ１１６ｂを示す。図示のように、編集済の背景選択用データ１１６ｂにおいて、指定領域（領域１）の外枠に対応する部分のピクセルのデータが第２の背景データ出力部１３４を示す「１」に変更されている。
【００３５】
制御部１６０は、背景選択用データ１１６ｂを編集した後、背景選択部１２６が参照するデータを、背景選択用データ１１６ａから編集済の背景選択用データ１１６ｂに切り換える。この切換は、例えば背景選択部１２６が参照するアドレスを背景選択用データ１１６ａのアドレスから背景選択用データ１１６ｂのアドレスへの変更である。これによって、背景選択部１２６が参照する背景選択用データが図５に示すデータになる。その結果、表示部１５０には、図６に示す画面が表示される。図示のように、入力デバイスにより指定された領域１の外枠は他のタイトル領域の外枠と異なる色（第２の背景データ出力部１３４が出力する背景データが示す色例えば赤）になる。これによって、指定領域と他のタイトル領域が異なる視覚効果を与え、ユーザは自分がいずれのタイトルを選択したかが分かる。
【００３６】
図７は、タイトル選択する際の再生装置１００における処理の流れを示すフローチャートである。図示合成処理は画像処理回路１２０により行われ、修飾処理は制御部１６０により行われる。
【００３７】
ＯＳＤプレーンのデータと背景データを合成するのに当たり、画像処理回路１２０のＯＳＤプレーン回路１２４は、記憶部１１０に記憶されたビデオプレーンイメージデータ１１２から１ピクセルを読み出して合成部１４０に出力し、背景選択部１２６は、制御部１６０の制御に従って、記憶部１１０に記憶された２つの背景選択用データのうちの一方に基づいて第１の背景データ出力部１３２の出力を背景データとして合成部１４０に出力する（Ｓ１０）。なお、初期状態においては、背景選択用データ１１６ａが用いられる。合成部１４０は、ＯＳＤプレーン回路１２４からの１ピクセルのデータと、背景選択部１２６からの１ピクセルのデータを、ＯＳＤプレーン回路１２４からのデータに付属されたα値に基づいて合成して表示部１５０に出力する（Ｓ２０、Ｓ３０）。この合成データは、表示部１５０により表示される。なお、Ｓ１０〜Ｓ３０の処理は、図２に示す走査順で１ピクセルずつ行われる。
【００３８】
制御部１６０により行われる修飾処理は、入力デバイスによりいずれかのタイトル領域が指定されたときに行われる（Ｓ１１０：Ｙｅｓ）。制御部１６０は、記憶部１１０に記憶された２つの背景選択用データのうちの、背景選択部１２６により使用中のものと別の背景選択用データに対して、ステップＳ１１０において指定されたタイトル領域の修飾部分すなわち外枠部分のピクセルデータが第２の背景データ出力部１３４を示すように編集する（Ｓ１２０）。そして、背景選択部１２６が参照する背景選択用データを編集済のデータに切り換える（Ｓ１３０）。これにより、背景選択部１２６が編集済の新しい背景選択用データに基づいて第１の背景データ出力部１３２と第２の背景データ出力部１３４の選択を行うようになるので、指定領域の外枠部分の背景の色が、他のタイトル領域の外枠部分の背景の色と異なることになる。
【００３９】
なお、以降の処理において、合成画像の背景を変更する必要がある度に、制御部１６０は、背景選択部１２６により使用していない背景選択用データの編集と、背景選択部１２６に供する背景選択用データを、編集済の背景選択用データへの切換とを行う。例えば、所定のタイトル領域が指定されたことに伴った背景選択用データの編集および切換の後に、別のタイトル領域が指定されたとき、制御部１６０は、新しく指定されたタイトル領域の外枠部分の背景の色と、他の指定領域の外枠部分の背景の色が異なるように、背景選択部１２６が使用してない背景選択用データを編集すると共に、編集済の背景選択用データで切換を行うようにする。
【００４０】
このように、本実施の形態の再生装置１００によれば、指定領域に対して修飾を加える際に、背景選択部１２６が使用していない背景選択用データ編集すると共に、編集済の背景選択用データに背景選択部１２６が参照する背景選択用データを切り換えるので、ユーザに違和感を与えることが無しに指定領域と他の領域の視覚的な差異を図ることができる。
【００４１】
また、背景選択用データ１１６の各ピクセルは、ＯＳＤプレーンイメージデータ１１４の各ピクセルとそれぞれ対応するので、座標を計算する必要が無い。そのため、制御部１６０の負荷が少ないと共に、修飾を加える領域や、修飾部位の形が複雑であっても、実用可能である。
【００４２】
さらに、本実施の形態に用いる背景選択用データ１１６は、１ｂｐｐのデータであるので、ＨＤ方式の場合において総サイズが約２Ｍビットしかない。そのため、背景選択用データ１１６をコピーして編集する際の所要メモリ容量も２Ｍビットで足りるため、メモリ容量を節約することができる。
【００４３】
以上、実施の形態をもとに本発明を説明した。実施の形態は例示であり、本発明の主旨から逸脱しない限り、さまざまな変更、増減を加えてもよい。これらの変更、増減が加えられた変形例も本発明の範囲にあることは当業者に理解されるところである。
【００４４】
例えば、再生装置１００において、色が異なる２つの背景データを用い、指定領域の修飾部分の背景データと他の領域の背景データとが異なるようにしているが、指定領域の修飾部分と他の部分の視覚的差異を図ることができれば、背景データの数は、２に限定されることが無い。
【００４５】
また、再生装置１００は、本発明の技術をユーザにより指定された領域の修飾に適用したものであるが、このような形態に限ることがなく、前面画像データと背景データをピクセル毎に合成して表示するいかなる装置にも適用することができる。例えば、時間の経過と共に表示画像に異なる視覚効果を持たせる場合に、変更を加えたい部分に対して、前面画像データの対応するピクセルデータの透過度情報を「完全透過」に設定しておき、時間の経過と共に背景選択用データの編集、切換をすればよい。
【００４６】
また、再生装置１００において、第１の背景データ出力部１３２と第２の背景データ出力部１３４が異なる色の背景データを出力するものであり、指定領域における修飾部位は他の領域の修飾部位と異なる色に変更されているが、指定領域の修飾部位と他の領域の修飾部位の視覚的差異を図ることができればよく、例えば同様な色で、輝度が異なるようにしてもよい。
【００４７】
また、再生装置１００において、修飾部位の透過度を「完全透過」にしているが、修飾部位の背景データの色または輝度などの画素値を合成画像に反映することができれば、「不透過」以外の任意の値であってもよい。
【００４８】
また、再生装置１００において、予め２つの背景選択用データを記憶部に記憶しているが、例えば、初期状態において背景選択用データを１つのみ記憶しておき、修飾するなど合成画像の背景を変える際に、記憶された背景選択用データをコピーして、コピーした背景選択用データを用いて編集および切換をしてもよい。その後、合成画像の背景の変更の度に、既にある２つの背景選択用データ間で切り換えればよい。
【００４９】
また、再生装置１００において、修飾内容に応じて、背景選択部１２６により使用中の背景選択用データと別の背景選択用データを編集し、編集済の背景選択用データで切換をしている。こうすることによって、２つの背景選択用データだけで背景変更の内容に対応でき、メモリの容量を最大に節約できる。例えば、可能性のある修飾内容に対応した背景選択用データを予めそれぞれ記憶しておき、実際の修飾内容に応じて該当する背景選択用データを用いるようにしてもよい。
【００５０】
具体的には例えば、図４に示すＯＳＤプレーンの例に対して、修飾を加えない場合の背景選択用データ、タイトル１の領域が指定された場合の背景選択用データ、タイトル２の領域が指定された場合の背景選択用データをそれぞれ記憶部に記憶しておき、制御部は、それぞれの場合に応じた背景選択用データが使用されるように切換をすればよい。例えばＨＤ方式の場合、前面画像データのサイズが約３２Ｍビットであるため、合成画像の背景を変えるために前面画像データをもう１つ記憶するために３２Ｍビットのメモリ容量が必要である。それに対して、背景選択用データのサイズが約２Ｍビットであるので、背景選択用データの個数が１５以下であれば、前面画像データをコピーして編集する方法よりメモリ容量を節約することができる。
【図面の簡単な説明】
【００５１】
【図１】本発明の実施の形態にかかる再生装置を示す図である。
【図２】走査順を示す図である。
【図３】ＯＳＤプレーンのイメージを示す図である。
【図４】各ピクセルの背景データが同じである場合に表示された画像を示す図である。
【図５】編集後の背景選択用データの例を示す図である。
【図６】図５に示す背景選択用データにより得られた合成画像を示す図である。
【図７】図１に示す再生装置における処理の流れを示すフローチャートである。
【符号の説明】
【００５２】
１００  再生装置
１１０  記憶部
１１２  ビデオプレーンイメージデータ
１１４  ＯＳＤプレーンイメージデータ
１１６  背景選択用データ
１２０  画像処理回路
１２２  ビデオプレーン回路
１２４  ＯＳＤプレーン回路
１２６  背景選択部
１３２  第１の背景データ出力部
１３４  第２の背景データ出力部
１４０  合成部
１５０  表示部
１６０  制御部
【図１】
2008164882.tif 000003
【図２】
2008164882.tif 000004
【図３】
2008164882.tif 000005
【図４】
2008164882.tif 000006
【図５】
2008164882.tif 000007
【図６】
2008164882.tif 000008
【図７】
2008164882.tif 000009